(57)【要約】本発明は、単電源システムを用いる二次元/三次元画像表示装置の駆動装置及びこの駆動装置を利用した二次元/三次元画像表示装置を提供する。本発明による三次元画像パネルを含む二次元/三次元画像表示装置の駆動装置において、駆動装置は、三次元画像パネルに三次元画像パネル駆動信号を供給し、駆動装置は、単一電圧電源を生成する単電源供給部と、及び、単電源供給部に接続され、三次元画像パネルにそれぞれ接続される第１出力端子及び第２出力端子を具備する制御回路とを含み、制御回路は、第１出力端子と第２出力端子を介して９０度の位相差を有する第１及び第２の正のパルス電圧信号を出力し、三次元画像パネル駆動信号は、前記第１及び第２の正のパルス電圧信号の差異信号である、二次元/三次元画像表示装置の駆動装置を提供する。【選択図】図４
2009524376.tif 000002
【特許請求の範囲】
【請求項１】
三次元画像パネルを含む二次元/三次元画像表示装置の駆動装置において、
前記駆動装置は、前記三次元画像パネルに三次元画像パネル駆動信号を供給し、前記駆動装置は、単一電圧電源を生成する単電源供給部と、及び、
前記単電源供給部に接続され、前記三次元画像パネルにそれぞれ接続される第１出力端子及び第２出力端子を具備する制御回路と、を含み、
前記制御回路は、第１出力端子と第２出力端子を介して９０度の位相差を有する第１及び第２の正のパルス電圧信号を出力し、前記三次元画像パネル駆動信号は、前記第１及び第２の正のパルス電圧信号の差異信号であることを特徴とする、二次元/三次元画像表示装置の駆動装置。
【請求項２】
三次元画像パネルを含む二次元/三次元画像表示装置の駆動装置において、
前記駆動装置は、前記三次元画像パネルに三次元画像パネル駆動信号を供給し、前記駆動装置は、単一電圧電源を生成する単電源供給部と、及び、
前記単電源供給部に接続され、第１パルス信号を生成する制御回路と、
前記制御回路に接続され、前記第１パルス信号によってオン・オフし、単一の正パルス信号である第２のパルス信号を生成する単電圧パルス生成器と、
前記単電圧パルス生成器の出力端子に接続され、前記第２のパルス信号を反転するインバータ回路と、を含み、
前記単電圧パルス生成器の出力端子及び前記インバータ回路の出力端子は、前記三次元画像パネルに接続され、前記三次元画像パネル駆動信号は、前記単電圧パルス生成器の出力端子からの第２のパルス信号と前記インバータ回路の出力端子からの出力信号との差異信号であることを特徴とする、二次元/三次元画像表示装置の駆動装置。
【請求項３】
三次元画像パネルを含む二次元/三次元画像表示装置の駆動装置において、
前記駆動装置は、前記三次元画像パネルに三次元画像パネル駆動信号を供給し、前記駆動装置は、単一電圧電源を生成する単電源供給部と、及び、
前記単電源供給部に接続され、正のパルス信号を生成する制御回路と、
前記制御回路の出力端子に接続され、前記正のパルス信号を反転するインバータ回路と、を含み、
前記制御回路の出力端子及び前記インバータ回路の出力端子は、前記三次元画像パネルに接続され、前記三次元画像パネル駆動信号は、前記制御回路の出力端子からの前記正のパルス信号と前記インバータ回路の出力端子からの出力信号との差異信号であることを特徴とする、二次元/三次元画像表示装置の駆動装置。
【請求項４】
前記制御回路には、二次元/三次元画像表示切り替え信号が供給されることを特徴とする、請求項１〜請求項３のいずれか一項に記載の二次元/三次元画像表示装置の駆動装置。
【請求項５】
前記二次元/三次元画像表示切り替え信号は、所定の外部装置から供給されることを特徴とする請求項４に記載の二次元/三次元画像表示装置の駆動装置。
【請求項６】
前記三次元画像パネルに二次元/三次元画像表示切り替え信号が供給されることを特徴とする、請求項１〜請求項３のいずれか一項に記載の二次元/三次元画像表示装置の駆動装置。
【請求項７】
前記二次元/三次元画像表示切り替え信号が所定のスイッチから供給されることを特徴とする、請求項６に記載の二次元/三次元画像表示装置の駆動装置。
【発明の詳細な説明】
【技術分野】
【０００１】
本発明は、二次元/三次元画像表示装置の駆動装置に関し、特に、単電源システムを用いる二次元/三次元画像表示装置の駆動装置及びこれを利用した二次元/三次元画像表示装置に関するものである。
【背景技術】
【０００２】
最近、ＬＣＤを利用した二次元/三次元画像表示装置に関する研究及び開発が盛んに進められている。本明細書において、「二次元/三次元画像表示装置」とは、二次元画像と三次元画像の表示を切り替えることができる表示装置を意味する。このような、二次元/三次元画像表示装置は、コンピュータのモニターや携帯電話端末装置で利用されている。
【０００３】
図１は、従来技術の二次元/三次元画像表示装置の概略ブロック図である。二次元/三次元画像表示装置は、駆動装置１００と三次元画像パネル２００とを含む。三次元画像パネル２００には、ＴＮ ＬＣＤなどを構成するパララックスバリアが含まれている。パララックスバリアは、２つの二次元画像（左眼用及び右眼用の二次元画像）が１つの三次元画像（つまり、立体画像）に見えるようにする作用をする。
【０００４】
本発明は、三次元画像パネル２００を駆動及び制御する駆動装置１００に関するもので、三次元画像パネルの制御は、三次元効果（つまり、立体効果）に影響を及ぼす。特に、三次元画像パネルの駆動及び制御に関連する電源システムは、三次元画像の画質に直接的な影響を与える。
【０００５】
図２及び図３は、三次元画像パネルに入力される制御信号の波形図である。三次元画像パネルに入力される制御信号には大きく２つある。第１タイプの制御信号は、二次元/三次元画像表示切り替え信号であり、第２タイプの制御信号は、三次元画像パネルの駆動信号である。図２及び図３は、それぞれ二次元/三次元画像表示切り替え信号及び三次元画像パネル駆動信号の波形図である。
【０００６】
図２を参照すれば、二次元/三次元画像表示切り替え信号２Ｄ/３Ｄ＿ＣＯＮＶＥＲＴはオン・オフ信号であって、オン状態の信号周期（つまり、三次元画像モード）では、三次元画像が表示され、オフ状態の信号周期（つまり、二次元画像モード）では、二次元画像が表示されるようにする制御信号である。
【０００７】
二次元/三次元画像表示切り替え信号２Ｄ／３Ｄ＿ＣＯＮＶＥＲＴは、外部から制御回路部１２０に供給されることができる。その場合、二次元/三次元画像表示切り替え信号２Ｄ／３Ｄ＿ＣＯＮＶＥＲＴは、コンピュータなど所定の外部装置であるＲＳ−２３２Ｃポートから供給されてもよい。制御回路部１２０に供給される、二次元/三次元画像表示切り替え信号２Ｄ／３Ｄ＿ＣＯＮＶＥＲＴは、所定の段階を経て三次元画像パネル２００に入力される。
【０００８】
代替的には、モニターや携帯電話端末装置などの二次元/三次元画像表示装置に取り付けられる所定のスイッチの動作により、二次元/三次元画像表示切り替え信号２Ｄ／３Ｄ＿ＣＯＮＶＥＲＴが三次元画像パネル２００に直接供給されることも可能である。
【０００９】
図３を参照すれば、三次元画像パネル駆動信号３Ｄ＿ＤＲＩＶＥはパルス信号であって、二次元/三次元画像表示切り替え信号２Ｄ／３Ｄ＿ＣＯＮＶＥＲＴが、オン状態で維持される三次元画像モードで三次元画像パネルを駆動する制御信号である。
【００１０】
以下、従来技術の三次元画像パネル駆動信号の３Ｄ＿ＤＲＩＶＥを生成する構成について説明する。
【００１１】
再び、図１を参照すれば、二次元/三次元画像表示装置は、駆動装置１００と三次元画像パネル２００とを含む。
【００１２】
従来の二次元/三次元画像表示装置において、駆動装置１００は、単電源供給部１１０、単電源供給部１１０に接続され、単電源が供給される制御回路部１２０、単電源供給部１１０に接続され、単電源が供給される複電源供給部１３０、制御回路部１２０及び複電源供給部１３０に接続され、それぞれ複電圧パルス生成器活性信号及び複電圧信号が供給される複電圧パルス生成器１４０を含む。三次元画像パネル２００は、複電圧パルス生成器１４０からの三次元画像パネル駆動信号が入力される。
【００１３】
単電源供給部１１０は、制御回路部１２０及び複電源供給部１３０の駆動電力を提供する。制御回路部１２０は、ＭＣＵ（micro controller unit）で構成される。ＭＣＵは、一種のデジタル制御回路であるので、複電源供給部１３０から出力される複電圧信号を直接制御することはできない。このため、デジタル制御回路が制御できる複電圧パルス生成器１４０が要求される。
【００１４】
制御回路部１２０及び複電源供給部１３０に接続され、それぞれ複電圧パルス生成器活性信号及び複電圧信号が供給される複電圧パルス生成器１４０は、図３に示されるような三次元画像パネル駆動信号３Ｄ＿ＤＲＩＶＥを三次元画像パネル２００へ出力する。
【００１５】
より詳しく説明すれば、制御回路部１２０では、１つの出力端子ＧＰＩＯを使用して複電圧パルス生成器活性信号を出力する。複電圧パルス生成器活性信号により、複電圧パルス生成器１４０をオン・オフする。
【００１６】
複電圧パルス生成器活性信号がオン状態である場合には、複電圧パルス生成器１４０は、パルス、つまり、三次元画像パネル駆動信号３Ｄ＿ＤＲＩＶＥを発生して、三次元画像パネル２００を駆動させる。複電圧パルス生成器活性信号がオフ状態である場合には、複電圧パルス生成器１４０が０Ｖのオフ信号を発生して、三次元画像パネル２００を駆動解除するので、このときは二次元画像が表示される。
【００１７】
従来技術の駆動装置１００に複電圧パルス生成器１４０を使用する理由は、制御回路部１２０、すなわち、ＭＣＵが１と０のデジタル信号を制御するデジタル制御回路であるので、＋／−Ｖの複電圧信号を直接制御することが不可能なためである。このため、複電圧電源を直接制御して、実際のパルスを形成する役割を、複電圧パルス生成器１４０が行うことになる。
【００１８】
上述のように、従来技術で二次元/三次元画像表示装置の駆動装置は、複電圧信号を生成する複電源供給部１３０を利用しているが、デジタル制御回路で構成される制御回路部１２０の複電源供給部１３０から出力される複電圧信号を直接制御できないため、複電圧パルス生成器１４０が追加的に必要になる。その結果、従来技術の二次元/三次元画像表示装置の駆動装置は、その構成が複雑になる。特に、構成が複雑になるため、携帯電話端末装置などで使用することは適していない。
【００１９】
このような問題点を解決するために、複電圧供給部を利用するのではなく、単電圧供給部だけで構成された駆動装置を考慮することも可能である。しかし、単電圧供給部から出力される単電圧信号（直流電圧信号）を三次元画像パネル駆動信号３Ｄ＿ＤＲＩＶＥとして利用すれば、三次元画像パネル２００にチャージ（charging）現象が発生し、三次元画像パネル２００が損傷する問題、または、三次元画像パネル２００に表示される画像にゴースト（ghost）が増加し、画像の立体感及び明度が減少して、画質が悪化する問題が発生する。さらに、制御回路であるＭＣＵで実時間でパルス信号を形成する必要があることから、ＭＣＵに負荷が加わったり、高価の高性能ＭＣＵを利用しなければならないという問題点がある。このため、単電圧供給部だけで駆動装置を構成することは、事実上、三次元画像パネル２００に適用することは不可能なことと思われていた。
【００２０】
これにより、従来技術では、上述のように、複電圧信号を形成するための複電源供給部が追加される駆動装置が利用されていた。従来技術の駆動装置を利用すれば、チャージ（charging）現象の発生を抑制して、三次元画像パネルの損傷を防止し、ゴーストの減少、立体感及び明度の増加によって画質を向上させることができる。
【００２１】
複電源パルス制御によれば、単電源パルス制御で発生する問題点を解決したり、大きく緩和することが可能であるが、追加的に複電源供給部が必要である。複電源供給部は、その大きさが大きいため、携帯電話端末装置のような小型製品に使用することが容易ではなく、使用する場合、回路構成が複雑になり、製品コストが上昇するという問題点がある。よって、回路構成が複雑になり、単価が上昇する。
【００２２】
さらに、複電源供給部を利用する場合は、単電源供給部のみを利用するときに比べてゴーストが減少し、立体感を増大させることができるが、複電源供給部、すなわち、電源回路の複電圧値に誤差が発生すると、Ghostが増加し、立体感が低下するので、電源回路の高精度がさらに要求されることになり、駆動回路を設計する際に、スルーレート（slew-rate）を充分に考慮しなければならず、設計及び製造上の難しさもある。
【発明の開示】
【発明が解決しようとする課題】
【００２３】
そこで、本発明は上記従来の問題点に鑑みてなされたものであって、本発明の目的は、単電源システムを利用した二次元/三次元画像表示装置の駆動装置を提供することである。
【００２４】
本発明の他の目的の一つは、単電源システムを用いた駆動装置を利用した二次元/三次元画像表示装置を提供することである。
【課題を解決するための手段】
【００２５】
上記目的を達成するためになされた本発明の第１態様によれば、三次元画像パネルを含む二次元/三次元画像表示装置の駆動装置において、前記駆動装置は、前記三次元画像パネルに三次元画像パネル駆動信号を供給し、前記駆動装置は、単一電圧電源を生成する単電源供給部と、及び、前記単電源供給部に接続され、前記三次元画像パネルにそれぞれ接続される第１出力端子及び第２出力端子を具備する制御回路とを含み、前記制御回路は、第１出力端子と第２出力端子を介して９０度の位相差を有する第１及び第２の正のパルス電圧信号を出力し、前記三次元画像パネル駆動信号は、前記第１及び第２の正のパルス電圧信号の差異信号である、二次元/三次元画像表示装置の駆動装置を提供する。
【００２６】
本発明の第２態様によれば、三次元画像パネルを含む二次元/三次元画像表示装置の駆動装置において、前記駆動装置は、前記三次元画像パネルに三次元画像パネル駆動信号を供給し、前記駆動装置は、単一電圧電源を生成する単電源供給部と、及び、前記単電源供給部に接続され、第１パルス信号を生成する制御回路と、前記制御回路に接続され、前記第１パルス信号によってオン・オフし、単一の正パルス信号である第２のパルス信号を生成する単電圧パルス生成器と、前記単電圧パルス生成器の出力端子に接続され、前記第２のパルス信号を反転するインバータ回路とを含み、前記単電圧パルス生成器の出力端子及び前記インバータ回路の出力端子は、前記三次元画像パネルに接続され、前記三次元画像パネル駆動信号は、前記単電圧パルス生成器の出力端子からの第２のパルス信号と前記インバータ回路の出力端子からの出力信号との差異信号である、二次元/三次元画像表示装置の駆動装置を提供する。
【００２７】
本発明の第３態様によれば、三次元画像パネルを含む二次元/三次元画像表示装置の駆動装置において、前記駆動装置は、前記三次元画像パネルに三次元画像パネル駆動信号を供給し、前記駆動装置は、単一電圧電源を生成する単電源供給部と、及び、前記単電源供給部に接続され、正のパルス信号を生成する制御回路と、前記制御回路の出力端子に接続され、前記正のパルス信号を反転するインバータ回路を含み、前記制御回路の出力端子及び前記インバータ回路の出力端子は、前記三次元画像パネルに接続され、前記三次元画像パネル駆動信号は、前記制御回路の出力端子からの前記正のパルス信号と前記インバータ回路の出力端子からの出力信号との差異信号である、二次元/三次元画像表示装置の駆動装置を提供する。
【００２８】
また、前記制御回路には、二次元/三次元画像表示切り替え信号が供給されてもよい。
【００２９】
前記二次元/三次元画像表示切り替え信号は、所定の外部装置から供給されることが好ましい。
【００３０】
また、前記三次元画像パネルに、二次元/三次元画像表示切り替え信号が供給されてもよい。
【００３１】
前記二次元/三次元画像表示切り替え信号は、所定のスイッチから供給されることが好ましい。
【００３２】
本発明の第４態様によれば、上述の駆動装置を利用する二次元/三次元画像表示装置の駆動装置を提供する。
【発明を実施するための最良の形態】
【００３３】
本発明の動作上の利点及び本発明を実施することによって達成される目的は、添付図面と併せて以下の詳細な説明を参照することにより更に良く理解されるようになる。
【００３４】
以下、添付した図面を参照して本発明の好適な実施形態を詳細に説明することによって本発明を詳細に説明する。図面において同様の参照符号は同様の部材を示している。
【００３５】
以下、本発明の実施形態による二次元/三次元画像表示装置の駆動装置について添付図面を参照して説明する。
【００３６】
（第１の実施形態）
図４は、本発明の第１実施形態による二次元/三次元画像表示装置の駆動装置の概略ブロック図である。
【００３７】
本発明の第１実施形態によれば、二次元/三次元画像表示装置は、駆動装置１００と、三次元画像パネル２００とを含む。駆動装置１００は、三次元画像パネル２００に、三次元画像パネル駆動信号３Ｄ＿ＤＲＩＶＥを供給する。
【００３８】
次に、本発明の第１実施形態による駆動装置１００の構成をより詳細に説明する。
【００３９】
駆動装置１００は、単一電圧電源を生成する単電源供給部１１０と、及び単電源供給部１１０に接続され、三次元画像パネル２００にそれぞれ接続されている第１出力端子と第２出力端子とを具備する制御回路部１２０を含む。
【００４０】
制御回路部１２０は、第１出力端子ＧＰＩＯ Ａと、第２出力端子ＧＰＩＯ Ｂを介して、９０度の位相差を有する第１及び第２の正のパルス電圧信号を出力する。図５には、９０度の位相差を有する第１及び第２の正のパルス電圧信号が示されている。
【００４１】
三次元画像パネル駆動信号３Ｄ＿ＤＲＩＶＥは、前記第１及び第２の正のパルス電圧信号の差異信号である。図５には、三次元画像パネル駆動信号３Ｄ＿ＤＲＩＶＥが示されている。
【００４２】
本発明の第１実施形態によれば、ＭＣＵで構成された制御回路部１２０の２つの出力端子ＧＰＩＯ Ａ及びＢを使用して、互いに９０°の位相差を有する第１及び第２の正のパルス電圧信号を生成するようになる。図５を参照すれば、三次元画像パネル駆動信号３Ｄ＿ＤＲＩＶＥは、前記第１と第２との差異信号であるので、＋Ｖと−Ｖを最大、最小の大きさとして有するパルス信号となる。
【００４３】
出力端子ＧＰＩＯ Ａ及びＢで出力される第１及び第２の正パルス信号は、直接三次元画像パネル２００を制御するようになるので、図１に示される従来技術のように、つまり、複電源供給部を使用した場合と同様に、＋Ｖ電圧と−Ｖ電圧を生成するようになる。
【００４４】
図６は、本発明の第１実施形態による二次元/三次元画像表示装置の制御回路部から入力される三次元画像パネル駆動信号による電流の流れを示す図である。図示するように、＋Ｖ電圧パルスが入力されると、正電流の流れが発生し、−Ｖ電圧パルスが入力されると、逆電流の流れが発生することが分かる。
【００４５】
すなわち、第１出力端子ＧＰＩＯ Ａのパルス状態が１（＋Ｖ）であり、第２出力端子ＧＰＩＯ Ｂのパルス状態が０（０Ｖ）であれば、電流は、第１出力端子ＧＰＩＯ Ａから第２出力端子ＧＰＩＯ Ｂへ流れるようになる（正電流の流れ）。この際、三次元画像パネル２００には、第１出力端子電圧（＋Ｖ）から第２出力端子電圧（０Ｖ）を差し引いた電圧＋Ｖが、三次元画像パネル駆動信号３Ｄ＿ＤＲＩＶＥとして供給される。
【００４６】
同様に、第１出力端子ＧＰＩＯ Ａのパルス状態が０（０Ｖ）であり、第２出力端子ＧＰＩＯ Ｂのパルス状態が＋Ｖであれば、電流は、第１出力端子ＧＰＩＯ Ａから第２出力端子ＧＰＩＯ Ｂへ流れるようになる（逆電流の流れ）。この際、三次元画像パネル２００には、第１出力端子電圧（０Ｖ）から第２出力端子電圧（＋Ｖ）を差し引いた電圧−Ｖが、三次元画像パネル駆動信号３Ｄ＿ＤＲＩＶＥとして供給される。
【００４７】
上述したように、本発明の第１実施形態によれば、＋Ｖ及び−Ｖの複電圧駆動信号を三次元画像パネル２００に供給することができる。
【００４８】
一方、二次元/三次元画像表示切り替え信号２Ｄ／３Ｄ＿ＣＯＮＶＥＲＴは、駆動装置１００または三次元画像パネル２００に供給されることができる。
【００４９】
駆動装置１００に二次元/三次元画像表示切り替え信号２Ｄ／３Ｄ＿ＣＯＮＶＥＲＴが供給される場合には、二次元/三次元画像表示切り替え信号２Ｄ／３Ｄ＿ＣＯＮＶＥＲＴが所定の外部装置のＲＳ−２３２Ｃポートから供給されることが好ましい。一方、三次元画像パネル２００に二次元/三次元画像表示切り替え信号２Ｄ／３Ｄ＿ＣＯＮＶＥＲＴが供給される場合には、二次元/三次元画像表示切り替え信号２Ｄ／３Ｄ＿ＣＯＮＶＥＲＴが所定のスイッチから供給されることが好ましい。
【００５０】
本発明の第１実施形態によれば、複電圧供給部を備えなくても、複電圧駆動信号を三次元画像パネルに供給することができるので、画像のゴーストを低減することができ、画像の立体感を向上することができる。デジタル制御回路部（ＭＣＵ）が出力端子ＧＰＩＯを直接制御するので、スルーレート（Slew rate）を考慮しなくても、正確な制御を実現することができる。単電源供給部のみを使用することにより、従来技術に比べて、特別に電源回路の高精度が要求されず、回路構成が簡単で、製品単価を抑えることができる。
【００５１】
（第２の実施形態）
図７は、本発明の第２実施形態による二次元/三次元画像表示装置の駆動装置の概略ブロック図である。
【００５２】
本発明の第２実施形態によれば、二次元/三次元画像表示装置は、駆動装置１００と三次元パネル２００とを含み、駆動装置１００が三次元画像パネル２００に三次元画像パネル駆動信号３Ｄ＿ＤＲＩＶＥを供給することは、第１実施形態と同様である。
【００５３】
本発明の第２実施形態によれば、駆動装置１００は、単一電圧電源を生成する単電源供給部１１０と、及び、単電源供給部１１０に接続され、第１パルス信号を生成する制御回路部１２０と、前記制御回路部１２０に接続され、第１パルス信号によってオン・オフし、単一の正電圧パルス信号である第２のパルス信号を生成する単電圧パルス生成器１４２と、単電圧パルス生成器１４２の出力端子に接続され、前記第２のパルス信号を反転するインバータ回路１５０とを含む。
【００５４】
単電圧パルス生成器１４２の出力端子及び前記インバータ回路１５０の出力端子は、前記三次元画像パネル２００に接続されており、三次元画像パネル駆動信号３Ｄ＿ＤＲＩＶＥは、単電圧パルス生成器１４２の出力端子からの第２のパルス信号と、前記インバータ回路１５０の出力端子からの出力信号との差異信号である。
【００５５】
本発明の第２実施形態では、制御回路部１２０が単電源パルス生成器１４０を活性化するオン・オフ信号のみを提供し、パルス生成器１４０で発生した実質的な三次元画像パネル駆動信号３Ｄ＿ＤＲＩＶＥを生成する。
【００５６】
すなわち、単電圧パルス生成器１４２の出力端子からの第２のパルス信号と、前記インバータ回路１５０の出力端子からの出力信号は、９０度の位相差を有する正のパルス電圧信号であって、これらの差異信号である三次元画像パネル駆動信号３Ｄ＿ＤＲＩＶＥは、第１実施形態と同様に、図５の波形を有する。
【００５７】
従って、第２実施形態は、複電源供給部を備えなくても、＋Ｖ電圧と−Ｖ電圧を生成するようになり、第１実施形態と同様の効果を得ることができる。
【００５８】
一方、本発明の第２実施形態でも、第１実施形態と同様に、二次元/三次元画像表示切り替え信号２Ｄ／３Ｄ＿ＣＯＮＶＥＲＴが駆動装置１００または三次元画像パネル２００に供給されることができる。
【００５９】
（第３の実施形態）
図８は、本発明の第３実施形態による二次元/三次元画像表示装置の駆動装置の概略ブロック図である。
【００６０】
本発明の第３実施形態によれば、二次元/三次元画像表示装置は、駆動装置１００と三次元パネル２００とを含み、駆動装置１００が三次元画像パネル２００に三次元画像パネル駆動信号３Ｄ＿ＤＲＩＶＥを供給することは、第１及び第２実施形態と同様である。
【００６１】
本発明の第３実施形態によれば、駆動装置１００は、単一電圧電源ＳＤＤを生成する単電源供給部１１０と、及び、前記単電源供給部１１０に接続され、正のパルス信号を生成する制御回路部１２０と、制御回路部１２０の出力端子に接続され、正のパルス信号を反転するインバータ回路１５０とを含む。
【００６２】
前記制御回路部１２０の出力端子及び前記インバータ回路１５０の出力端子は、前記三次元画像パネル２００に接続されており、三次元画像パネル駆動信号３Ｄ＿ＤＲＩＶＥは、前記制御回路部１２０の出力端子からの正のパルス信号とインバータ回路１５０の出力端子からの出力信号との差異信号である。
【００６３】
本発明の第３実施形態では、制御回路部１２０が単電源パルスに相当する正のパルス信号を生成する。第２実施形態に示すような単電源パルス生成器、または従来技術のような複電源パルス生成器を含まないため、その構成が簡単である。
【００６４】
前記制御回路部１２０の出力端子からの正のパルス信号とインバータ回路１５０の出力端子からの出力信号とは、９０度の位相差を有する正のパルス電圧信号であるので、これらの差異信号である三次元画像パネル駆動信号３Ｄ＿ＤＲＩＶＥは、第１実施形態と同様に図５の波形を有する。
【００６５】
このように、第３実施形態では、複電源供給部を備えなくても、＋Ｖ電圧と−Ｖ電圧を生成するようになり、第１及び第２実施形態と同様の効果を得ることができる。
【００６６】
一方、本発明の第２実施形態でも、第１実施形態と同様に、二次元/三次元画像表示切り替え信号２Ｄ／３Ｄ＿ＣＯＮＶＥＲＴが駆動装置１００または三次元画像パネル２００に供給されることができる。
【産業上の利用可能性】
【００６７】
本発明によれば、複電圧供給部を備えなくても、複電圧駆動信号を三次元画像パネルに供給することができるので、三次元画像のゴーストを減少することができ、三次元画像の立体感を向上することができる。デジタル制御回路部が出力端子を直接制御するので、駆動回路設計時に、スルーレートを考慮しなくても正確な制御を実現することができる。単電源供給部のみを使用するため、複電源供給部を利用する場合に比べて、特別に電源回路の高精度が要求されず、回路構成が簡単で、製品単価を抑えることができる。
【００６８】
以上、図面を参照して本発明の好適な実施形態を開示した。ここで、特定の用語を使用して説明したが、これは本発明を説明するためのものであって、意味の限定や請求の範囲に記載の本発明の範囲を制限するものではない。よって、該当技術分野における通常の知識を有する者であれば、本発明に基づいて様々な変形及び均等な他の実施例が可能であることが理解できるであろう。本発明の真の技術的保護範囲は添付された特許請求の範囲の技術的思想によって決まらなければならない。
【図面の簡単な説明】
【００６９】
【図１】図１は従来技術の二次元/三次元画像表示装置の概略ブロック図である。
【図２】図２二次元/三次元画像表示切り替え信号の波形図である。
【図３】図３は三次元画像パネル駆動信号の波形図である。
【図４】図４は、本発明の第１実施形態による二次元/三次元画像表示装置の駆動装置の概略ブロック図である。
【図５】図５は、本発明の第１実施形態による二次元/三次元画像表示装置の駆動装置における制御回路部の出力信号及び三次元画像パネル駆動信号の波形図である。
【図６】図６は、本発明の第１実施形態による二次元/三次元画像表示装置の制御回路部から入力される三次元画像パネル駆動信号による電流の流れを示す図である。
【図７】図７は、本発明の第２実施形態による二次元/三次元画像表示装置の駆動装置の概略グブロック図である。
【図８】図８は、本発明の第３実施形態による二次元/三次元画像表示装置の駆動装置の概略ブロック図である。
【図１】
2009524376.tif 000003
【図２】
2009524376.tif 000004
【図３】
2009524376.tif 000005
【図４】
2009524376.tif 000006
【図５】
2009524376.tif 000007
【図６】
2009524376.tif 000008
【図７】
2009524376.tif 000009
【図８】
2009524376.tif 000010
【国際調査報告】
2009524376.tif 000011
2009524376.tif 000012